(57)【要約】  スタッカブルラックは、２つの側部支持材（１）と、前記２つの側部支持（１）の間に棚板（２）を備える。側部支持材（１）は、少なくとも１つの支持ユニット（３）で構成される。支持ユニット（３）は、長方形フレーム（３１）と、脚部支持手段（３２）を備える。長方形フレーム（３１）は、棚板（２）を支持するクロスバー（３３）を備える。脚部支持手段（３２）は、扁平な金属リングを台形に曲げ形成する。台形の２つの端部は閉鎖し、水平脚部ループ（３４）へと曲げられる。水平脚部ループ（３４）の内部距離は、長方形フレーム（３１）の幅よりも少し長い。脚部支持手段（３２）の上側は、長方形フレーム（３１）の下側を締着し、溶接により固定される。その結果、一つの支持ユニット（３）の脚部支持手段（３２）の水平脚部ループ（３４）が、別の支持ユニット（３）の長方形フレーム（３１）の上方隅部に固定され、積み重ねられる。
2010527282.tif 000002
【特許請求の範囲】
【請求項１】
２つの側部支持材（１）；と
前記２つの側部支持（１）の間に棚板（２）
とを備えるスタッカブルラックであって、
各側部支持材（１）が、少なくとも１つの支持ユニット（３）を備え、前記支持ユニット（３）が長方形フレーム（３１）及び脚部支持手段（３２）を備え、前記長方形フレームが（３１）が前記棚板（２）を支持するクロスバー（３３）をさらに備え、前記脚部支持手段（３２）は、扁平な金属リングが台形に曲げられ、前記台形の２つの端部が閉鎖し、水平脚部ループ（３４）へと曲げられ、前記水平脚部ループ（３４）の内部距離が、前記長方形フレーム（３１）の幅よりも少し長く、前記脚部支持手段（３２）の上側は、長方形フレーム（３１）の下側を締着し、溶接固定して前記支持ユニットを形成し、一つの支持ユニットの前記支持手段（３２）の前記水平脚部ループ（３４）が、別の支持ユニットの前記長方形フレーム（３１）の上方隅部に固定され、積み重ねられることを特徴とする、スタッカブルラック。
【請求項２】
上方及び下方の隣接する長方形フレーム（３１）を固着するためのＣ字状のバネバックル（４）を、各積み重なった境界部の各側隅部において長方形フレーム（３１）と脚部支持手段（３２）の台形端部との間に形成される三角地帯にさらに備えることを特徴とする、請求項１に記載のスタッカブルラック。
【請求項３】
Ｃ字状のバネバックル（４）が、一方の終端部が上方を向いているＣ字状のバネバックルであることを特徴とする、請求項２に記載のスタッカブルラック。
【請求項４】
Ｃ字状のバネバックル（４）が、両方の終端部が上方を向いているＣ字状のバネバックルであることを特徴とする、請求項２に記載のスタッカブルラック。
【請求項５】
Ｃ字状のバネバックル（４）が、一方の終端部が上方を向いており、他方の端部が回転可能な状態で長方形フレーム（３１）の下側を閉鎖していることを特徴とする、請求項２に記載のスタッカブルラック。
【発明の詳細な説明】
【技術分野】
【０００１】
本発明は、スタッカブルラック、特に商品を配置するための、ワイヤで製造されたスタッカブルラックに関する。
【背景技術】
【０００２】
近年のワイヤ加工分野において、スタッカブルラックは、通常２つの側部支持材、及び前記２つの側部支持材の間に棚板を備え、上方隅部及び下方隅部から４本の脚部が伸長し、ラックを積み重ねるためにスリーブジョイントが用いられる。スリーブと脚部との結合（joining）が堅すぎる場合には、積み重ねるときに、対応する上方及び下方の脚部を一直線に配列することが困難となり、スリーブと脚との結合が緩くなると、容易にミスアライメントが生じ、同一側面の上方及び下方の側部支持材が同一の平面にないことになり、その結果、圧点が同一線状にないため、積み重なったラックの変形が生じる。さらに、伸長した４本の脚部は、変形しやすくなり、アセンブリにミスアライメント及び不都合が生じる。
【発明の開示】
【発明が解決しようとする課題】
【０００３】
本発明の目的は、積み重ねやすく、同一側面の上方及び下方の側部支持材が確実に同一の平面上にあり、それにより変形が低減され、積み重ねが強化される、スタッカブルラックを提供することである。
【０００４】
本発明の目的は、以下の技術的解決策により達成される。スタッカブルラックは、２つの側部支持材と、前記２つの側部支持材の間に棚板とを備え、それぞれの側部支持材が、少なくとも１つの支持ユニットを備え、前記支持ユニットが、長方形フレームと脚部支持手段とを備え、前記長方形フレームが、棚板を支持するためのクロスバーをさらに備え、脚部支持手段が、扁平な金属リングによって台形に曲げられ、台形の２つの端部は閉鎖して水平な脚部ループに曲げられ、水平脚部ループの内部距離が、長方形フレームの幅よりも少し長く、脚部支持手段の上側が、長方形フレームの下側を締着（clamp）し、溶接固定して支持ユニットを形成し、一つの支持ユニットの支持手段の水平脚部ループが、別の支持ユニットの長方形フレームの上方隅部で固定され、積み重ねられる。
【０００５】
上方と下方の側部支持材が非係合状態となるのを防止するために、上方及び下方の隣接する長方形フレームを固着（fasten）するためのＣ字状のバネバックル（spring buckle）が、各積み重なった境界部の各側隅部（サイドコーナー）において、長方形フレームと脚部支持手段の台形端部との間に形成される三角地帯にさらに備えられていてもよい。
【０００６】
Ｃ字状のバネバックルの第１の形状として、Ｃ字状のバネバックルは、一方の終端部（end edge）が上方を向いている、Ｃ字状のバネバックルである。使用時には、上方を向いていないＣ字状のバネバックルの端部は、長方形フレームの一方の側面を把持(grasp)し、上方を向いている他方の端部は、別の長方形フレームの一方の側面に嵌り（snap on）、上方及び下方の隣接する長方形フレームを接続する。
【０００７】
Ｃ字状のバネバックルの第２の形状として、Ｃ字状のバネバックルは、両方の終端部が上方を向いているＣ字状のバネバックルである。使用時には、Ｃ字状のスプリングバックルの両方の端部が同時に押圧され、別の長方形フレームの２つの接続する側面を包囲し、上方及び下方の隣接する長方形フレームを接続する。
【０００８】
Ｃ字状のバネバックルの第３の形状として、Ｃ字状のバネバックルは、一方の終端部が上方を向いていて、他方の端部が、長方形フレームの下側を回転可能に包囲しているＣ字状のバネバックルである。使用時には、バネバックルを回転させるだけで、上方を向いている端部を別の長方形フレームの一方の側面に嵌めることが可能であり、上方及び下方の隣接する長方形フレームを接続する。
【０００９】
本発明は、以下の利点を有する。積み重ねの接続に使用される隅部上のスリーブジョイント（sleeve joint）には、同一側面の上方及び下方の隣接する側部支持材は、同一の平面に維持される。積み重ねるときに、一つの支持ユニットの支持手段の水平脚部ループが、別の支持ユニットの長方形フレームの上方隅部に固定され、平面ジョイントによる積み重ねを実現し、これにより上方及び下方の側部支持材をさらに安定させる。上方及び下方の側部支持材が非係合状態となるのを防止するために、上方及び下方の隣接する長方形フレームを固着するためのＣ字状のバネバックルが、各積み重なった境界部の各側隅部において、長方形フレームと脚部支持手段の台形端部との間に形成される三角地帯にさらに備えられてもよい。したがって、本発明のスタッカブルラックは、容易に積み重ねることができ、同一側面の上方及び下方の側部支持材は、同一の平面に維持され、変形が低減され、積み重なりが強化される。
【図面の簡単な説明】
【００１０】
【図１】図１は、本発明の実施態様におけるスタッカブルラックの正面図である。
【図２】図２は、本発明の実施態様におけるスタッカブルラックの左側面図である。
【図３】図３は、本発明の実施態様におけるスタッカブルラックの上面図である。
【図４】図４は、スタッカブルラックの支持ユニットの正面図である。
【図５】図５は、スタッカブルラックの支持ユニットの左側面図である。
【図６】図６は、脚部支持手段の正面図である。
【図７】図７は、脚部支持手段の左側面図である。
【図８】図８は、脚部支持手段の上面図である。
【図９】図９は、Ｃ字状のバネバックルを有するスタッカブルラックの左側面図である。
【図１０】図１０は、第１のＣ字状のバネバックルを有するアセンブリの断面図である。
【図１１】図１１は、第２のＣ字状のバネバックルを有するアセンブリの断面図である。
【図１２】図１２は、第３のＣ字状のバネバックルを有するアセンブリの断面図である。
【図１３】図１３は、支持ユニットの斜視図である。
【発明を実施するための形態】
【００１１】
添付の図面を参照した以下の実施態様により、本発明の多くの態様がよりよく理解されよう。
【００１２】
図１〜図１３を参照すると、スタッカブルラックは以下を備える。２つの側部支持材１；前記２つの側部支持材１の間の棚板２；各側部支持材１は、少なくとも１つの支持ユニット３を備え、支持ユニット３は、長方形フレーム３１と脚部支持手段３２を備え、長方形フレーム３１は、棚板２を支持するためのクロスバー３３をさらに備え、脚部支持手段３２は、扁平な金属リングで台形に曲げられ、台形の２つの端部は閉鎖し、水平な脚部ループ３４へと曲げられ、水平脚部ループ３４の内部距離は、長方形フレーム３１の幅よりも少し長く、脚部支持手段３２の上側は、長方形フレーム３１の下側を締着し、溶接固定して支持ユニットを形成し、一つの支持ユニットの支持手段３２の水平脚部ループ３４は、別の支持ユニットの長方形フレーム３１の上部隅部に固定され、積み重ねられる。
【００１３】
脚部支持手段３２の形成時に、ワイヤは曲げられて、閉鎖され、伸長した扁平な金属ループを形成し、ループの内部幅は、長方形フレームの厚さと実質的に等しく、長方形フレーム３１の一方の側を把持し、ワイヤの両端部は、そのままであってもよいし、溶接により結合してもよく、金属ループは、その両端部で曲げられ、脚部支持手段３２を形成する。
【００１４】
上方と下方の側部支持材が非係合状態となるのを防止するために、上方及び下方の隣接する長方形フレーム３１を固着するためのＣ字状のバネバックル４が、各積み重なった境界部の各側隅部（サイドコーナー）において、長方形フレーム３１と脚部支持手段３２の台形端部との間に形成される三角地帯にさらに備えられていてもよい。Ｃ字状バネバックル４は、好ましくはバネ鋼板で形成され、Ｃ字状バネバックルの搭載が可能なように、その幅は、三角地帯により定めされる隅部よりも小さい。
【００１５】
Ｃ字状バネバックルは、３つの実施態様により実施されうる。Ｃ字状バネバックル４の第１形状としては、固着を容易にするための、一方の終端部が上方に向いているＣ字状バネバックルである。使用時には、上方を向いていないＣ字状バネバックルの１つの端部が、長方形フレームの一方の側面を把持３１し、上方を向いている他方の端部が、別の長方形フレームの一方の側面に嵌り、上方及び下方の隣接する長方形フレームを接続する。
【００１６】
Ｃ字状バネバックルの第２の形状は、両方の終端部が上方を向いているＣ字状のバネバックルである。使用時には、Ｃ字状バネバックル３１の両端部は同時に押圧され、別の長方形フレームの２つの接続する側面を閉鎖し、上方及び下方の隣接する長方形フレームを接続する。
【００１７】
Ｃ字状バネバックルの第３の形状は、一方の終端部が上方を向いており、他方の端部が回転可能に、長方形フレーム３１の下側を閉鎖する。使用時には、バネバックルを回転するだけで、別の長方形フレームの一方の側面に嵌り、上方及び下方の隣接する長方形フレームを接続する。
【００１８】
積み重ねるときには、１つの支持ユニットの支持手段の水平脚部ループ３４は、別の支持ユニット３の長方形フレーム３１の上部隅部に固定され、水平ジョイントにより積み重なり、上方及び下方の側部支持材をより安定させる。上方と下方の側部支持ユニット３が非係合状態となるのを防止するために、上方及び下方の隣接する長方形フレームを固着するためのＣ字状のバネバックル４が、各積み重なった境界部の各側隅部（サイドコーナー）において、長方形フレーム３１と脚部支持手段３２の台形端部との間に形成される三角地帯にさらに備えられていてもよい。したがって、本発明のスタッカブルラックは、容易に積み重ねることが可能で、同一側面の上方及び下方の側部支持材は、同一の平面に維持されるため、変形が低減され、積み重ねが強化される。
【図１】
2010527282.tif 000003
【図２】
2010527282.tif 000004
【図３】
2010527282.tif 000005
【図４】
2010527282.tif 000006
【図５】
2010527282.tif 000007
【図６】
2010527282.tif 000008
【図７】
2010527282.tif 000009
【図８】
2010527282.tif 000010
【図９】
2010527282.tif 000011
【図１０】
2010527282.tif 000012
【図１１】
2010527282.tif 000013
【図１２】
2010527282.tif 000014
【図１３】
2010527282.tif 000015
【国際調査報告】
2010527282.tif 000016
2010527282.tif 000017
2010527282.tif 000018
2010527282.tif 000019
2010527282.tif 000020
2010527282.tif 000021
2010527282.tif 000022
2010527282.tif 000023